(57)【特許請求の範囲】
【請求項１】
ドラムの巻き取り面の外周に索体が整列するよう複数の案内溝を設けたドラムで索体の巻き取り・繰り出しを行うウインチ装置において、索体を巻き取るドラムの巻き取り面の片端に索体の１段目の巻き終わりと２段目の巻き始めと側壁との空隙を埋めるようにガイド段差部を設け、前記案内溝を並行な溝とし、巻き取り面の外周の一部に溝なし部をドラムの回転軸方向に長く設け、ドラムの巻き取り面の外周の溝なし部に索体の端を挿入する取付穴を設け、同取付穴に挿入した索体を係止させる係止部を設け、前記ガイド段差部の高さを１段目の索体の巻き外径と略同じ大きさとし、ガイド段差部の幅を索体の略半分とし、ドラムの巻き取り面に巻き取った索体の２段目以上の巻き終わりとドラムの側壁の空隙を埋めるガイドコマ部を溝なし部のドラムの側壁に設け、ドラムの巻き取り面に巻き取った索体の２段目以上の巻き始めとドラムの側壁の空隙を埋めるガイドコマ部を溝なし部のドラムの側壁に設け、ドラムの巻き取り面に索体の１段目を巻き終わると巻き終わり部分の索体とドラムの側壁の間に索体の径の約半分の空隙を設けるようにドラム幅を定め、前記ガイドコマ部を溝なし部のドラムの側壁に設けるようにしたことを特徴としたウインチ装置。
【発明の詳細な説明】
【０００１】
【発明の属する技術分野】
本発明は、土木建設工事や荷役作業、エレベータなどに用いられ、ワイヤー・ロープ・ワイヤロープ等の索体の乱巻きを起こさず整然と多層に巻き取りまた繰出しを行えるウインチ装置に関する。
【０００２】
【従来の技術】
従来のロープ・ワイヤー・ワイヤロープなどの索体を所定の幅で多層に巻き取り、巻き取った索体を繰出して使用するウインチ装置において、初めに巻き取って軸方向に一列に並んだ１段目が巻き取るドラムの表面の凹凸などによって一部の索体が重なる状態になると２段目、３段目の索体はさらに重なったり、すき間に落ち込むように巻かれたりして、索体の最外層が凹凸な状態となったいわゆる乱巻きの状態になる。
乱巻きになる原因として、次の段に移行した際に巻き始めの索体より巻き取り面の中央に向って隣りに位置すべき索体が、巻き始めの索体とドラムの側壁の間の上にのってしまい、次に巻かれる索体がさらに重って乱巻きとなることが挙げられる。
整列に巻き取った状態で索体を繰り出し方向に引くと、索体が引かれることによる巻き取った索体がドラムの中心方向にしまる力は、内側の段の索体の一部に均等に分散されるが、乱巻きの状態では例えば重なった部分が一部分だけあると、重なった内側の索体を外側の索体がしめることによってせん断するよう力が働く。よってこの状態では、実際に使用した場合の安全性は低くなる。また、この状態では、繰り出すときに、索体が巻き外径の大きくなった部分の索体に当たって抵抗を受けるので、スムーズに索体が繰り出されないことがあった。このように乱巻きの状態はウインチ装置では好ましくないものであった。この対策としては、常に１段目を残すように使用していた。このようにすると、１段目の密着した索体同士の接する部分の上方にできる凹み部分に２段目の索体が位置しやすくなる。１段目の索体まで繰り出した場合には、手作業で整列させる作業を行ったりもしていた。よって手間がかかり、コスト高となっていた。
この対策として、ドラムの表面に索体がはまり込む形状の案内溝を設ける場合においても、ドラムの巻き取り幅は２段目が１段目に対して索体の約半分、軸方向にずれるために、その分の余裕が設けられているため、その部分に２段目の索体が落ち込みすぎたりすると、もう一度同じ部分に巻かれるなどして乱巻きになってしまう場合があった。
【０００３】
【発明が解決しようとする課題】
本発明が解決しようとする課題は、このような問題点を解消し、索体を１段目から整列させて巻くことができ、１段目の巻き終わりとドラムの側壁の間に２段目の巻き始めが落ち込むような空隙を作らないようにし、乱巻きの発生を抑え、人手を要さず容易に巻き取りおよび繰出しが行え、コストを抑えたウインチ装置を提供することにある。
【０００４】
【課題を解決するための手段】
かかる課題を解決した本発明の構成は、
１）  ドラムの巻き取り面の外周に索体が整列するよう複数の案内溝を設けたドラムで索体の巻き取り・繰り出しを行うウインチ装置において、索体を巻き取るドラムの巻き取り面の片端に索体の１段目の巻き終わりと２段目の巻き始めと側壁との空隙を埋めるようにガイド段差部を設け、前記案内溝を並行な溝とし、巻き取り面の外周の一部に溝なし部をドラムの回転軸方向に長く設け、ドラムの巻き取り面の外周の溝なし部に索体の端を挿入する取付穴を設け、同取付穴に挿入した索体を係止させる係止部を設け、前記ガイド段差部の高さを１段目の索体の巻き外径と略同じ大きさとし、ガイド段差部の幅を索体の略半分とし、ドラムの巻き取り面に巻き取った索体の２段目以上の巻き終わりとドラムの側壁の空隙を埋めるガイドコマ部を溝なし部のドラムの側壁に設け、ドラムの巻き取り面に巻き取った索体の２段目以上の巻き始めとドラムの側壁の空隙を埋めるガイドコマ部を溝なし部のドラムの側壁に設け、ドラムの巻き取り面に索体の１段目を巻き終わると巻き終わり部分の索体とドラムの側壁の間に索体の径の約半分の空隙を設けるようにドラム幅を定め、前記ガイドコマ部を溝なし部のドラムの側壁に設けるようにしたことを特徴としたウインチ装置
にある。
【０００５】
【作用】
本発明のウインチ装置においてドラムの回転によって索体を巻き取って行くと、ドラムの巻き取り面の片端にガイド段差部を設けているので、索体と側壁の間には空隙がない。２段目の巻き始めは、１段目の巻き終わりと側壁の間に位置しようとするが、１段目の巻き終わりと側壁の間にはガイド段差部が設けられているので、２段目の巻き始めは１段目の巻き終わりとガイド段差部の間の上に位置するようになる。よって２段目の巻き始めが１段目の巻き終わりと側壁の間の空隙に落ち込んで次に巻かれる２段目の部分と高さがちがったり離れてしまうのを防ぐ。
ドラムの巻き取り面の外周に索体が整列するよう複数の案内溝を設け、索体が次々と隣りの案内溝にはまり込むようにして索体を案内溝に巻き取って整列させる。
案内溝を並行な溝とし、巻き取り面の外周の一部に溝なし部を設けたので、索体が案内溝にはまり込むようにして索体を案内溝に巻き取って、溝なし部分で索体を巻き取りながら隣りの案内溝に索体を移動させるようにして次々と案内溝に索体を巻き取るようにする。
ドラムの巻き取り面の外周の溝なし部に、索体の端を挿入する取付穴を設け、取付穴に挿入した索体を係止させる係止部を設けたので、取付穴に索体を挿入し、挿入した索体を係止部によって係止させて、巻き取り始めの部分とすることができる。
ガイド段差部の高さを１段目の索体の巻き外径と略同じ大きさとし、ガイド段差部の幅を索体の略半分としたので、２段目の巻き始めの索体が、ガイド段差部に接触してガイド段差部を設けた側の側壁から離れる方向に移動しないようにし、このようにしてガイド段差部と１段目の巻き終わり索体の間の上に位置した２段目の巻き始めの索体と次に巻かれて隣りに位置する索体が離れないようにする。
ドラムの巻き取り面に巻き取った索体の２段目以上の巻き終わりとドラムの側壁の空隙を埋めるガイドコマ部をドラムの側壁に設けたので、ガイドコマ部を設けた段より１つ下の段の巻き始めの次の巻きにおいて索体が巻き始めとドラムの側壁の間に巻かれようとすると、ガイドコマ部に当ってすべり落ちるようにして巻き始めの索体の隣に整列して位置する。
ドラムの巻き取り面に巻き取った索体の２段目以上の巻き始めとドラムの側壁の空隙を埋めるガイドコマ部をドラムの側壁に設けたので、巻き始めの索体が同じ位置に何度も巻かれることがないようにガイドコマ部に当てることによって巻き取り面の中央に向って斜めに巻くようにする。
ドラムの巻き取り面に複数の並行な案内溝を設け、巻き取り面の外周の一部に溝なし部をドラムの回転軸方向に長く設け、ガイドコマ部を溝なし部に設けたので、案内溝にはまり込むようにして索体を巻き、溝なし部分で斜めに巻くようにして次の並行な案内溝に索体を移行させて索体を巻くようにし、斜めに巻く溝なし部でガイドコマ部によって索体の巻きが乱れることがないようにする。
ドラムの巻き取り面に索体の１段目を巻き終わると巻き終わり部分の索体とドラムの側壁の間に索体の径の約半分の空隙を設けるようドラム幅を定めたので、巻き取り面の索体と次の段の索体が索体の径の約半分軸方向にズレるようにし、このようにして多層に巻いた索体の各段の巻き数が同じになるようにして、巻き全体が整然と並ぶ状態にする。
ガイドコマ部を溝なし部のドラムの側壁に設けるようにしたので、溝なし部で斜めに巻かれる索体の巻きを乱れないようガイドコマ部に当てて索体を所定の位置に向かうようにする。
【０００６】
【発明の実施の形態】
本発明のウインチ装置で、ドラムの巻き取り面に設ける索体の案内用の溝は、ウインチ装置の使用条件や負荷に応じて決められた索体の径に合わせて、溝幅および溝の深さを設定して用いるのが望ましい。
ドラムの巻き取り面の溝なし部は、ドラムの円周の所定区間に軸方向全長に渡って設ける。通常、ドラムの巻き取り面の両端にはロープの巻付かない空間が生じる。この空間の大きさは、索体の径が一定ならば、索体が溝なし部において案内溝から案内溝へ移る角度αまたは溝なし部の区間の長さによって決まる。αがあまりに小さい、すなわち溝なし部の区間が長すぎると、空間が大きすぎて上から索体が食い込みやすく、逆にαが大きく溝なし部の区間が短すぎると、空間は小さくなるがロープの角度変化が大きすぎて滑らかに曲がらなくなる。索体の径と曲がり易さに基づいて適切なαまたは溝のない区間の長さを設定し、ドラムの巻き取り面の径に応じた溝なし部の円周区間（円周角θで表される）を決めるようにする。
溝なし部を巻き取り面に複数に分けて設ける場合は、複数の溝なし部を巻き取り面の円周に同じ区間幅で等分の間隔に配置するのが望ましい。また、溝なし部において索体の巻き取り位置を動かしていくので、複数の溝なし部で分割された溝部は、溝なし部の数に合わせて適宜溝ピッチをずらして、巻き取り面が一周した時に索体がちょうど一本分横に移動できるように調節する。
溝なし部は巻き取り面から溝をなくした単純な円筒面状、またはこの部分にあまり索体が接触しないようにドラム内側に向けて凹ませた形状の、いずれでもよい。
ガイドコマ部は全周に設けても円周上の一部に設けてもよい。ガイドコマ部はよって多段に巻き取られる索体のすべての段に取り付けても一部の段に取り付けてもよく、所定の間隔をあけてもよい。
ガイドコマ部の形状はどのようなものでもよい。
【０００７】
【実施例】
本発明の実施例について、図面を参照して具体的に説明する。
実施例１（図１〜１１参照）
図１〜１１に示す実施例１は、ドラムの巻き取り面の片端にガイド段差部を設け、ドラムの外周に複数の案内溝を設け、案内溝を並行な溝とし、筒状体の外周の一部に溝なし部を設け、溝なし部に索体の取付穴を設け、取付穴に索体を係止させる係止部を設け、ガイド段差部の高さを１段目の索体の巻き外径と略同じ大きさとし、ガイド段差部の幅を索体の略半分とし、索体の３段目と４段目の巻き終わりと側壁の間を埋めるガイドコマ部を設けたウインチ装置の例である。
図１は実施例１のウインチ装置の説明図である。図２は実施例１のウインチ装置のドラムの平面図である。図３は実施例１のウインチ装置のドラムの正面図である。図４は図３のＡ−Ａ断面図である。図５は実施例１のウインチ装置で索体を巻き取った状態を示す説明図である。図６は実施例１のウインチ装置で索体を巻き取った状態を示す説明図である。図７は実施例１のウインチ装置で索体を巻き取った状態を示す説明図である。図８は実施例１のウインチ装置で索体を巻き取った案内溝を部分を示す説明図である。図９は実施例１のウインチ装置で索体を巻き取った溝なし部の説明図である。図１０は実施例１のウインチ装置で索体を巻き取った溝なし部の説明図である。図１１は実施例１のウインチ装置で索体を巻き取った溝なし部の説明図である。
図中、１はウインチ装置、２はベッド、３はドラム支持部、４はボルト、５はドラム、５ａは巻き取り面、５ｂは側壁、５ｃは案内溝、５ｄは溝なし部、５ｅはガイド段差部、５ｆはガイドコマ部、５ｇは内径部、６は駆動モーター、７は索体係止具、７ａは索体挿入用穴、７ｂはネジ穴、８は係止ネジ、１０は回転軸、ｗはロープである。
実施例１では、図１〜１１に示すように、ロープの巻き取り・繰り出しをドラムの回転により行っている。まず、ウインチ装置１を設置する場所に土台となるベッド２を設ける。次にベッド２に所定の間隔で向かい合うようにドラム支持部３をボルト４で取り付ける。次にドラム５を向かい合うドラム支持部３の間に位置させ、図示しない軸部でドラムの内径部５ｇを固定し、軸部をドラム支持部３に回転自在に支持させる。ドラム５は外周をロープｗの巻き取り面５ａとする円筒部分とし、円筒部分の軸方向両側に側壁５ｂを設けている。この２つの側壁５ｂと巻き取り面５ａで囲まれる空間をロープｗを多層に巻き取って行く空間とする。次にドラム５の内径部５ｇに索体係止具７を取り付け、ドラム５の巻き取り面５ａと索体係止具７の一部を貫通するように索体挿入用穴７ａを設ける。索体挿入用穴７ａは図３に示すように軸方向から見て左右が対称形となるように設ける。次に索体挿入用穴７ａの軸と直角方向に巻き取り面５ａと索体挿入用穴７ａが連通するようにしてネジ穴７ｂを三箇所に設ける。ネジ穴７ｂにはネジ溝を設ける。次に索体挿入用穴７ａ，ネジ穴７ｂを設けた部分を溝なし部５ｄとし、溝なし部５ｄを除く巻き取り面５ａには、１つの円周上にロープｗがはまり込む深さ、形状の案内溝５ｃが設けられ、さらにこの案内溝５ｃが所定のピッチでドラムの軸方向に複数設けられている。索体挿入用穴７ａを設けた側の側壁５ｂと軸方向に反対側の側壁５ｂ側の案内溝５ｃの端から側壁５ｂまでの間にはロープｗの径の約半分のすき間を設ける。これによりドラム５のドラム幅Ｌはロープの１段目を巻き終わると巻き終わり部分のロープとドラムの側壁の間にロープの径の約半分の空隙が設けられる幅となっている。次にそのすき間に案内溝５ｃにロープｗを巻いた場合に近い高さで、ロープｗと同じＲを設けたガイド段差部５ｅを図２，４，５に示すように全周に設ける。次に、図５に示すようにロープｗをドラム５の巻き取り面５ａに巻き取ると同径３段目となる位置のガイド段差部５ｅを設けた側の側壁５ｂに断面がロープｗと同径の半円形状を先端形状とするガイドコマ部５ｆを設ける。ガイドコマ部５ｆは円周に沿って曲率を付けて、溝なし部５ｄと同じ円周上の範囲に設けられる。次に同様にして、ロープｗをドラム巻き取り面５ａに巻き取ると、四段目となる位置の索体挿入用穴７ａを設けた側の側壁５ｂに断面がロープｗと同径の半円形状を先端形状とするガイドコマ部５ｆを設ける。次に片側のドラム支持部３に、駆動モーター６を取り付け、駆動モーター６の出力軸をドラムの内径部５ｇを固定した軸部に連結する。実施例１では、減速機とブレーキ付きの駆動モーター６を用いている。
この実施例１のウインチ装置を使用するには、図２，３に示すようにドラム５の溝なし部５ｄに設けた索体挿入用穴７ａにロープｗを挿入し、索体挿入用穴７ａに連通するようにして設けられた三箇所のネジ穴に係止ネジ８を螺合で取り付ける。この係止ネジ８をさらにねじ込むと、係止ネジ８の先端がロープｗに当たり、ロープｗを索体挿入用穴７ａ周面に押し付ける。三箇所を係止ネジ８の先端で押し付けることによって、ロープｗは、索体挿入用穴７ａに強く取り付けられる。次に、駆動モーター６を作動させて、軸が連結されたドラム５を回転させる。図３に示すように、ロープのドラムへの巻き始め位置の内部にロープの先端を取り付け、ロープが徐々に巻き取り面の円周上にのるようにしているので、ある位置から突然巻き始めることによって巻いていない部分との段差にその後の巻きが引っ掛って乱巻きとなるなどの影響を与えない巻き始め部分になっている。ドラム５の回転によってロープｗが巻き取られる。この際、索体挿入用穴７ａの周方向には、並行な案内溝５ｃが設けられているので、ロープｗは案内溝５ｃにはまり込んでドラム５に巻き取られる。ドラム５が回転していくと、図２に示すように案内溝５ｃの部分から溝なし部５ｄになる。さらに巻き取って行くとロープｗが索体挿入用穴７ａから出ているロープｗの部分の上にのるが、ロープｗの張力とロープｗの断面が円周上で接触することによって、すべりが生じ、ロープｗは索体挿入用穴７ａから軸方向に離れる方向の隣りの案内溝５ｃにはまり込む。よって溝なし部５ｄでロープが斜めに巻き取られるようにして次の並行な案内溝５ｃに移るようになる。同じようにして、溝なし部５ｄで斜めに巻き取られ隣りの案内溝５ｃに移動し、順に軸方向に移動しながら巻き取られていく。このように案内溝５ｃによって巻き取ったロープｗ同士の間には隙間ができたりすることなく所定のピッチで確実に整列巻きが行われる。このように並行な案内溝と溝なし部を組み合わせたものは、比較的簡単に加工で製作できる。また型で鋳造や成型で製作する際にも簡単な型の構造にできるのでらせん溝に比べてコストを抑えることができる。このようにして図５，６に示すように次々と案内溝５ｃにはまり込むようにしてロープが巻き取られ１段目の終わりとなる部分では、ガイド段差部５ｅが設けられているので、図５に示すように１段目の終わりとなるロープｗと側壁５ｂの間に隙間がない。よって、１段目の巻き終わりと隣りの索体との間に空隙が生じて、その空隙に２段目の巻き始めの索体が落ち込んで乱巻きの原因となるようなことはない。また、１段目の巻き終わりとドラムの側壁の間にも空隙が生じて、その空隙に２段目の巻き始めの索体が落ち込んで乱巻きの原因となるようなことはない。２段目の巻き始めとなる部分では、図６〜９に示すように１段目の巻き終わりと、ガイド段差部５ｅの間にロープの２段目がのることによって、２段目のロープの巻き始めと側壁の間にはすきまがない。実施例においてガイド段差部５ｅの高さは、１段目の索体の巻き外径と同じで、ガイド段差部５ｅの幅は索体の径の半分としている。よって、ガイド段差部５ｅと１段目の索体の巻き終わりの間の上に２段目の巻き始めがのる際に、２段目の巻き始めがガイド段差部５ｅに当たって索体挿入用穴７ａの側にズレてしまわないようにする。さらに図９に示すように側壁５ｂには、３段目の巻き終わりの位置と側壁５ｂの間を埋めるようにして、先端の断面がロープと同じ径の約半円となっているガイドコマ部５ｆが設けられている。１段目のロープの巻き取りが終わり、２段目に移行し、２段目の巻き始めの隣に位置すべきロープが巻かれる際に、２段目の巻き始めと側壁の間に位置するよう巻いてしまうと２段目の巻き始めに２重に巻かれることになり、次の段以降で巻きが乱れて行くので乱巻きになってしまう。しかし本実施例１では、２段目の巻き始めの次の巻きが、２段目の巻き始めの上にくると、図９に示すように、ガイドコマ部５ｆに当たって、すべり落ちるようにして索体挿入用穴７ａ側に移動して本来位置すべき２段目の巻き始めの隣に巻かれるようになる。また、本実施例１では、索体挿入用穴７ａ側のドラムの側壁５ｂと４段目の巻き終わりの間の空隙を埋めるように別のガイドコマ部５ｆを設けているので同様に３段目の巻き始めの次の巻きを確実に所定の位置に巻くようにする。また、本実施例では、溝なし部５ｄにガイドコマ部５ｆを設けることによって、巻き始め又は巻き終わりと側壁の間が大きくなる部分を埋めるようにして、斜めにロープが巻かれる溝なし部における側方のガイドになるようにしている。また、２段目のロープは、１段目のロープ同士の間の上に密着するようにのって、整列に巻かれて行く。２段目のロープが索体挿入用穴側で折り返し３段目が同様に整列して巻かれて巻き終わりになると、図９に示すように側壁５ｂには、３段目の巻き終わりの位置と側壁５ｂの間を埋めるようにして、先端の断面がロープと同じ径の約半円となっているガイドコマ部５ｆが設けられているので３段目の巻き終わりと側壁の間にすき間がない。よって４段目の巻き始めは図９に示すように、ガイドコマ部５ｆと３段目の巻き終わりの間にのり、側壁との間にすきまをつくらない。このように実施例１のウインチ装置では、４段目までを確実に整列巻きで巻き取ることができる。よってロープを繰り出す際には、１段目を残すことなく全ての部分を繰り出すことができるので非常に効率的である。また、人手を要さずに１層目を確実に整列巻きで巻き取るので人手がかからずさらに効率的である。実施例１ではさらにガイドコマ部５ｆによって図１０，１１に示すように４層目までを確実に整列巻きとすることができるので、その上の段が大きな乱れとなることがない。よって略全段を略整列巻きとすることができ、非常に効率的に巻き空間を使用できるのでコンパクトにでき、途中でロープ同士がせん断するように重なることがないのでより安全性を高めることができる。
また、それぞれの段がロープの径の半分ずつ交互にズレて段同士の隙間を小さくするよう１段目の巻き終わりとドラムの側壁の間にロープの径の半分の空隙を設けているので、巻きスペースを有効に使ってコンパクトにできる。  
【０００８】
【発明の効果】
本発明によれば、索体を１段目から整列させて巻くことができ、１段目の巻き終わりとドラムの側壁の間に２段目の巻き始めが落ち込むような空隙を作らないようにし、乱巻きの発生を抑え、人手を要さず容易に巻き取り及び繰り出しが行え、コストを抑えたウインチ装置にできる。
ドラムの筒状体の外周に索体が整列するよう複数の案内溝を設けたので、確実に案内溝のピッチで索体を整列に巻き取ることができる。
案内溝を並行な溝とし、筒状体の外周の一部に溝なし部を設けたので、コストを抑制し、かつ確実に案内溝のピッチで索体を整列に巻き取ることができる。
ドラムの巻き取り面の溝なし部に、索体の端を挿入する取付穴を設け、取付穴に挿入した索体を係止させる係止部を設けたので、乱巻きになることのない巻き始め部分にすることができる。
ガイド段差部の高さを１段目の索体の巻き外径と略同じ大きさとし、ガイド段差部の幅を索体の略半分としたので、乱巻きの原因を２段目の巻き始めに作らないようにして、さらに整列に索体を巻きとることができる。
ドラムの巻き取り面に巻き取った索体の２段目以上の巻き終わりとドラムの側壁の空隙を埋めるガイドコマ部をドラムの側壁に設けたので、ガイドコマ部を設けた下の段の巻き始めの次の巻きを巻き始めの隣りに来るようにしてさらに確実に２段目以上を整列した状態に巻き取ることができる。
ドラムの巻き取り面に巻き取った索体の２段目以上の巻き始めとドラムの側壁の空隙を埋めるガイドコマ部をドラムの側壁に設けたので、索体の巻きが次の段に移行する際に、同じ所に何度も巻くことがないようにして、さらに確実に２段目以上を整列した状態に巻き取ることができる。
ドラムの巻き取り面に複数の並行な案内溝を設け、巻き取り面の外周の一部に溝なし部をドラムの回転軸方向に長く設け、ガイドコマ部を溝なし部に設けたので、さらに全段を整列巻きとすることができる。
ドラムの巻き取り面に索体の１段目を巻き終わると巻き終わり部分の索体とドラムの側壁の間に索体の径の約半分の空隙を設けるようドラム幅を定めたので、それぞれの段が同じ巻数になるように索体を巻き取ってスペースを有効に使ってさらにコンパクトなウインチ装置にできる。
ガイドコマ部を溝なし部のドラムの側壁に設けるようにしたので、次の段に移行する部分で巻きが乱れないようにしてさらに確実に整列した状態に巻き取ることができる。
【図面の簡単な説明】
【図１】  実施例１のウインチ装置の説明図である。
【図２】  実施例１のウインチ装置のドラムの平面図である。
【図３】  実施例１のウインチ装置のドラムの正面図である。
【図４】  図３のＡ−Ａ断面図である。
【図５】  実施例１のウインチ装置で索体を巻き取った状態を示す説明図である。
【図６】  実施例１のウインチ装置で索体を巻き取った状態を示す説明図である。
【図７】  実施例１のウインチ装置で索体を巻き取った状態を示す説明図である。
【図８】  実施例１のウインチ装置で索体を巻き取った状態を示す説明図である。
【図９】  実施例１のウインチ装置で索体を巻き取った溝なし部の説明図である。
【図１０】  実施例１のウインチ装置で索体を巻き取った溝なし部の説明図である。
【図１１】  実施例１のウインチ装置で索体を巻き取った溝なし部の説明図である。  
【符号の説明】
１  ウインチ装置
２  ベッド
３  ドラム支持部
４  ボルト
５  ドラム
５ａ  巻き取り面
５ｂ  側壁
５ｃ  案内溝
５ｄ  溝なし部
５ｅ  ガイド段差部
５ｆ  ガイドコマ部
５ｇ  内径部
６  駆動モーター
７  索体係止具
７ａ  索体挿入用穴
７ｂ  ネジ穴
８  係止ネジ
９  ガイドコマ部
１０  回転軸
ｗ  ロープ
【図１】
0004219029.tif 000002
【図２】
0004219029.tif 000003
【図３】
0004219029.tif 000004
【図４】
0004219029.tif 000005
【図５】
0004219029.tif 000006
【図６】
0004219029.tif 000007
【図７】
0004219029.tif 000008
【図８】
0004219029.tif 000009
【図９】
0004219029.tif 000010
【図１０】
0004219029.tif 000011
【図１１】
0004219029.tif 000012